(57)【要約】【課題】挿入ガイド部と排出ガイド部切り替わり部に挿入された被切断シート体を切断可能とした位置に設けられた刃とより構成されたシート切断具を提供する。【解決手段】上ガイド片と下ガイド片よりなり前方に挿入ガイド部、後方に左右に分かれた排出ガイド部を形成するガイド部材と、該ガイド部材の挿入ガイド部と排出ガイド部の切り替わり部に挿入された被切断シート体を切断可能とした位置に設けられた刃とより構成され、前記上ガイド片は前部を上ガイド部材、後部の左右一方を上連結部材、後部の他方をねじれにより前記上連結部より高い位置となる上排出ガイド部材を形成するシート切断具。【選択図】図１
2007296276.tif 000002
【特許請求の範囲】
【請求項１】
上ガイド片と下ガイド片よりなり前方に挿入ガイド部、後方に左右に分かれた排出ガイド部を形成するガイド部材と、
該ガイド部材の挿入ガイド部と排出ガイド部の切り替わり部に挿入された被切断シート体を切断可能とした位置に設けられた刃とより構成され、
前記上ガイド片は前部を上ガイド部材、後部の左右一方を上連結部材、後部の他方をねじれにより前記上連結部より高い位置となる上排出ガイド部材を形成するものであり、
前記下ガイド片は前部を下ガイド部材、前記上連結部材に連結される下連結部材、後部の他方をねじれにより前記下連結部より低い位置となる下排出ガイド部材を形成するものであり、
前記挿入ガイド部は上ガイド部材と下ガイド部材より構成されるものであり、
前記排出ガイド部は上連結部材と下排出ガイド部材により一方を、下連結部材と上排出ガイド部材により他方を構成されるものであることを特徴とするシート切断具。
【請求項２】
把手可能な把手部を具備することを特徴とする請求項１記載のシート切断具。
【請求項３】
ペン、キャップ、スタンド、机等の任意物品に連結部を介して設けられたものであることを特徴とする請求項１又は２記載のシート切断具。
【請求項４】
ガイド部材の外形やガイドライン表示等よりなり任意角度への操作方向を認識させる切断方向基準認識手段を具備することを特徴とする請求項１、２又は３記載のシート切断具。
【請求項５】
任意の壁や物体、物品に脱着可能に固定するための脱着機構を具備することを特徴とする請求項１、２、３又は４記載のシート切断具。
【請求項６】
刃を着脱取替え可能にする刃着脱機構および刃スライド機構を具備することを特徴とする請求項１、２、３、４又は５記載のシート切断具。
【発明の詳細な説明】
【技術分野】
【０００１】本発明は、挿入ガイド部と排出ガイド部切り替わり部に挿入された被切断シート体を切断可能とした位置に設けられた刃とより紙等のシートを切断できるシート切断具に関する物である。
【背景技術】
【０００２】従来、はさみのような押切裁断形シート切断具タイプＡや、カッターナイフのような鋭利な刃を押しつけて切断するシート切断具タイプＢがあった。
【発明の開示】
【発明が解決しようとする課題】
【０００３】そのために、次のような問題点があった。
（イ）タイプＡ、タイプＢともに使用時に切断部が露出しており容易に切断部に触れる事が出来る為、怪我や事故がとても多かった。
（ロ）タイプＡは直線、曲線、角など自由にシートを切断することが出来るがシートを刃と刃で挟み込んで押切る為に刃と刃を閉めたり開けたりしなくてはならず使用するには訓練と体力が必要だった。
（ハ）タイプＢは刃をシートに押しあててシートを切断する為、シートの下にある物を傷付けてしまう。
（ニ）タイプＡ、タイプＢともに構造上小型化すると著しく使いかってが低下してしまう。
【課題を解決するための手段】
【０００４】上ガイド片と下ガイド片よりなり前方に挿入ガイド部、後方に左右に分かれた排出ガイド部を形成するガイド部材と、
該ガイド部材の挿入ガイド部と排出ガイド部の切り替わり部に挿入された被切断シート体を切断可能とした位置に設けられた刃とより構成され、
前記上ガイド片は前部を上ガイド部材、後部の左右一方を上連結部材、後部の他方をねじれにより前記上連結部より高い位置となる上排出ガイド部材を形成するものであり、
前記下ガイド片は前部を下ガイド部材、前記上連結部材に連結される下連結部材、後部の他方をねじれにより前記下連結部より低い位置となる下排出ガイド部材を形成するものであり、
前記挿入ガイド部は上ガイド部材と下ガイド部材より構成されるものであり、
前記排出ガイド部は上連結部材と下排出ガイド部材により一方を、下連結部材と上排出ガイド部材により他方を構成されるものであることを特徴とするシート切断具。
【発明の効果】
【０００５】刃が露出していない為、使用時も携帯時も怪我や事故が起こらない。
シートを挿入ガイド部から挿入して刃により切断し排出ガイド部より排出するために進行方向に押すだけなのでとても簡単に扱える。
また、むき出しの刃を押し付ける構造では無いので使用時に他の物質を傷付ける事が無い。
ある程度の小型化をしても機能が低下することが無く携帯が楽でコストがかからない。
【発明を実施する為の最良の形態】
【０００６】以下、本発明の第１実施の形態について図１から図２７を利用して説明する。
本発明は、上ガイド片（１）と、下ガイド片（２）と刃（６）とより構成されたものである。
上ガイド片（１）と、下ガイド片（２）についてまず図９、図１０をもちいて説明する。
図９は本発明の上ガイド片（１）と下ガイド片（２）とが分離した状態の上方斜視図であり、図１０は本発明の上ガイド片（１）と下ガイド片（２）の分離した状態の下方斜視図
である。
上ガイド片（１）は、上ガイド部材（７）と、該上ガイド部材（７）右後方に延設された上連結部材（８）と、該上ガイド部材（７）左後方に延設された上排出ガイド部材（９）とより構成される。
上ガイド部材（７）は上ガイド片（１）の切り替わり部（５）より前方の部位で板状となっている。
上連結部材（８）は、上ガイド部材（７）右後方に水平に延設されたものであり上排出ガイド部材（９）との切り替わり部（５）上面に帯状に左下方向に傾射斜した形状の刃収納部（１４）が構成されている。
上排出ガイド部材（９）は、上ガイド部材（７）左後方に切り替わり部（５）から上方向に勾配（２６）を設け上連結部材（８）と下連結部材（１１）の連結の妨げにならない高さに板状に延設されている。
下ガイド片（２）は、下ガイド部材（１０）と、該下ガイド部材（１０）左後方に延設され刃押え部（１５）を設けてある下連結部材（１１）と、該下ガイド部材（１０）右後方に延設された下排出ガイド部材（１３）とより構成される。
下ガイド部材（１０）は下ガイド片（２）の切り替わり部（５）より前方の部位で板状となっている。
下連結部材（１１）は、下ガイド部材（１０）左後方に切り替わり部（５）から上方向に勾配（２６）を設け上連結部材（８）と下連結部材（１１）の連結位置の高さに延設されたものであり、切り替わり部（５）から勾配（２６）にかけ底面に右上方向に傾射斜した形状の刃収納部（１４）が構成されている。刃押え部（１５）は、下排出ガイド部材（１２）との切り替わり部（５）から上方に上連結部材（８）と下連結部材（１１）の連結位置の高さにするための勾配（２６）にかけ底面に右上方向に傾射斜した形状の刃収納部（１４）面を右上方向に任意の長さまで延設したものであり、上ガイド片（１）と下ガイド片（２）の連結の際、該上ガイド片（１）の上連結部材（８）平面の刃収納部（１４）とにより刃（６）をはさみ固定出来る構成である。
下排出ガイド部材（１２）は、下ガイド部材（１０）右後方に水平に板状に延設されたものである。
そして、上連結部材（８）と下連結部材（１１）が連結され刃（６）を刃収納部（１４）に固定させた状態の挿入ガイド部（３）と排出ガイド部（４）について図５、図６、図７、図８、図１１をもちいて説明する。
図５は、本発明のシート切断具の正面図である。図６は、本発明のシート切断具の斜視図である。図７は、本発明のシート切断具の斜視図である。図８は、本発明のシート切断具の斜視図である。図１１は、本発明のシート切断具の背面図である。
挿入ガイド部（３）は、上ガイド片（１）の上ガイド部材（７）と下ガイド片（２）の下ガイド部材（１０）により構成されている。また、挿入ガイド部（３）の正面部を開口部と（１８）する。
排出ガイド部（４）は、該挿入ガイド部（３）の切り替わり部（５）より左後方には、上ガイド部材（７）左後方に切り替わり部（５）から上方向に勾配（２６）を設け上連結部材（８）と下連結部材（１１）の連結の妨げにならない高さに板状に延設されている上排出ガイド部材（９）と、下ガイド部材（１０）左後方に切り替わり部（５）から上方向に勾配（２６）を設け上連結部材（８）と連結位置の高さに延設された下連結部材（１１）とにより一方の排出ガイド部（４）を、
挿入ガイド部（３）の切り替わり部（５）より右後方には、下ガイド部材（１０）右後方に水平に板状に延設された下排出ガイド部材（１２）と、上ガイド部材（７）右後方に水平に延設されたものであり上排出ガイド部材（９）との切り替わり部（５）上面に帯状に左下方向に傾射斜した形状の刃収納部（１４）が構成されている上連結部材（８）とによりもう一方の排出ガイド部（４）を、それぞれ排出ガイド部（４）を設けてある。
刃（６）は、挿入ガイド部（３）と排出ガイド部（４）の切り替わり部（５）周辺に設けている刃収納部（１４）に固定されてあり、また、挿入された被切断シート体を切断可能とした位置に設けられている。
刃（６）の形状について、図１３をもちいて説明する。
図１３は、本発明の刃（６）の平面図である。
刃（６）の形状は、左前方から左後方に該左後方が横に短く斜にカットされており上ガイド片（１）と下ガイド片（２）の勾配（２６）による形状に対応し突起せずに収納することができる。
また、図１４及び図１５及び図１６は、図１２のそれぞれ点線ａ、ｂ、ｃ、を断面とした正面断面図であり、断面ごとの刃（６）の形状の変化と上ガイド片（１）と下ガイド片（２）の位置変化を示している。
図１２は、断面箇所説明の為の本発明のシート切断具の平面図である。図１４は、本発明のシート切断具のｃ点線を断面とした正面断面図である。図１５は、本発明のシート切断具のｂ点線を断面とした正面断面図である。図１６は、本発明のシート切断具のａ点線を断面とした正面断面図である。
そして、把手棒（１６）について、図６及び、図１７、図１９、図２１をもちいて説明する。
図６は、本発明のシート切断具の斜視図である。図１７は、本発明のシート切断具に把手を設けた時の平面図である。図１９は、本発明のシート切断具に把手を設けた時の右側面図である。図２１は、本発明の使用時の斜視図である。
把手棒（１６）は、上ガイド片（１）の上排出ガイド部材（９）の上排出ガイド部材上面部（１７）に把手しやすいように設けてある。
本発明は以上の構成よりなる。
これを使用するときについて、図２１及び図２２をもちいて説明する。
図２１は、本発明の使用時の斜視図である。図２２は、本発明の使用時の斜視図である。
把手棒（１６）によって本発明を操作し、被切断シート体（１３）を挿入ガイド部（３）の上ガイド片（１）と下ガイド片（２）よりなる開口部（１８）より挿入し、被切断シート体（１３）切断方向に被切断シート体（１３）を切断可能とした位置に設けられた刃（６）を通過させ切断して左右各排出ガイド部（４）より切断された被切断シート体ａ（１９）と被切断シート体ｂ（２０）を排出する。
また、図２２及び、図２３及び、図２４及び、図２６及び、図２７をもちいて以下を説明する。
図２２は、本発明の使用時の斜視図である。図２３は、本発明の使用時の斜視図である。図２４は、本発明の使用時の斜視図である。図２６は、本発明の使用時の斜視図である。図２７は、本発明の使用時の斜視図である。
切断されて二分し排出される非切断シート体ａ（１９）と、他方の被切断シート体ｂ（２０）の排出ガイド部（４）は、上連結部材（８）と下排出ガイド部材（１２）により一方を、下連結部材（１１）と上排出ガイド部材（９）により他方を構成されているため排出する位置がことなる。
したがって非切断シート体ａ（１９）と、他方の被切断シート体ｂ（２０）は刃（６）の切断始点である切断点（２１）を軸に切断方向を変える際、刃と上連結部材（８）と下連結部材（１１）により間仕切りされ、排出時に排出物をしならし、障害なく自由方向に排出する事ができ、排出角度の障害無く切断角度がかえられる。
図２５に示すように自由曲線の切断もおこなえる。
図２５は、本発明の使用時の斜視図である。
切断を終了する際は切断点（２１）を中心に本発明のシート切断具を状況にあわせて平面に向かって右回りに３６０度回転させ下排出ガイド部材（１２）側より非切断シート体（１３）を取り出す事が出来る。
また、図２及び図３、図４に示すように。
図２は、本発明のシート切断具の底面図である。図３は、本発明のシート切断具の右側面図である。図４は、本発明のシート切断具の左側面図である。
切断点（２１）を軸に操作する方向転換や切断を終了する際に操作しやすくする為、下ガイド片（２）下面に突起部（２２）を設けることにより突起部（２２）を軸に操作することが出来、快適に使用することが出来る。
【０００７】以下、他の実施形態について図２８から図３８を利用して説明する。
図２８及び図２９及び図３０に示すように、
図２８は、本発明に連結部を介してペン（２３）を設けた物の右側面図である。図２９は、本発明に連結部を介してキャップ（２４）を設けた物の右側面図である。図３０は、本発明に連結部を介してキャップ（２４）を設けた物の右側面図である。
上記第１実施形態で設けてある把手棒（１６）のかわりにペン（２３）やキャップ（２４）等の任意物品を本発明に連結部を介して設け、いろいろな機能を具備させることができる。
図３１に示すように、
図３１は、本発明にガイドライン表示（２５）等よりなる切断方向基準認識手段を設けた物の斜視図である。
ガイド部材の外形やガイドライン表示（２５）等よりなり任意角度への操作方向を認識させる切断方向基準認識手段を具備させ、正確な切断や、作業をより楽にする事ができる。
図３２及び図３３に示すように、
図３２は、本発明に物品に着脱可能に固定するための着脱機構を設けた物の底面図である。図３３は、本発明に物品に着脱可能に固定するための着脱機構を設けた物の右側面図である。
任意の壁や物体、物品に脱着可能に固定するための脱着マグネット（２７）等脱着機構を具備することで任意の壁や物体、物品に脱着可能に固定することができ、収納や取り出し、作業などをより楽にする事ができる。
図３４から図３８に示すように、
図３４は、本発明の刃の斜視図である。図３５は、本発明のシート切断具の刃着脱時の斜視図である。図３６は、本発明のシート切断具の刃着脱完了時の斜視図である。図３７は、本発明のシート切断具の刃着脱時の正面断面図である。図３８は、本発明のシート切断具の刃着脱完了時の正面断面図である。
刃（６）のしなり等を利用し刃（６）を着脱取替え可能にする刃着脱機構を具備させ、カスタムや、耐久性補助、末かえ等によりメンテナンスできる。
また、刃（６）の刃渡りの直径を刃収納部（１４）の直径より短くすることにより刃（６）を刃収納部（１４）の内部でスライドさせる事ができ、切断点に刃（６）の切れ味の良い部分を合わせることが出来る。
上記、各事例において部材の組み合わせは利用できる範囲で自由である。
【従来との比較と説明】
【０００８】従来、はさみのような押切裁断形シート切断具タイプＡや、カッターナイフのような鋭利な刃を押しつけて切断するシート切断具タイプＢがあった。
タイプＡ、タイプＢともに使用時に切断部が露出しており容易に切断部に触れる事が出来る為、怪我や事故がとても多かった。しかし、本発明のシート切断具は構造じょう指等で容易に触れられるようにはしておらず、怪我や事故が起こることが無い。
タイプＡは直線、曲線、角など自由に被切断シート体（１３）を切断することが出来るが被切断シート体（１３）を刃と刃で挟み込んで押切る為に刃と刃を閉めたり開けたりしなくてはならず使用するには訓練と体力が必要だった。しかし、本発明のシート切断具は被切断シート体（１３）の切断方向に本発明のシート切断具を動かすだけで使用でき従来のものより訓練と体力が必要ない。
タイプＢは刃を被切断シート体（１３）に押しあてて被切断シート体（１３）を切断する為、被切断シート体（１３）の下にある物を傷付けてしまう。しかし、本発明のシート切断具は上ガイド片（１）と下ガイド片（２）の切り替わり部（５）に設けられた刃（６）により挿入された被切断シート体（１３）を切断するため従来のような被切断シート体（１３）以外の物を傷付けてしまうことが無い。
タイプＡ、タイプＢともに構造上小型化すると著しく使いかってが低下してしまう。しかし、本発明のシート切断具は小型化しても性能が低下することが無く収納や他の物との組み合わせも容易である。
【図面の簡単な説明】
【０００９】
【図１】本発明のシート切断具の平面図
【図２】本発明のシート切断具の底面図
【図３】本発明のシート切断具の右側面図
【図４】本発明のシート切断具の左側面図
【図５】本発明のシート切断具の正面図
【図６】本発明のシート切断具の斜視図
【図７】本発明のシート切断具の斜視図
【図８】本発明のシート切断具の斜視図
【図９】本発明の上ガイド片と下ガイド片とが分離した状態の上方斜視図
【図１０】本発明の上ガイド片と下ガイド片の分離した状態の下方斜視図
【図１１】本発明のシート切断具の背面図
【図１２】断面箇所説明の為の本発明のシート切断具の平面図
【図１３】本発明の刃の平面図
【図１４】本発明のシート切断具のｃ点線を断面とした正面断面図
【図１５】本発明のシート切断具のｂ点線を断面とした正面断面図
【図１６】本発明のシート切断具のａ点線を断面とした正面断面図
【図１７】本発明のシート切断具に把手を設けた時の平面図
【図１８】本発明のシート切断具に把手を設けた時の底面図
【図１９】本発明のシート切断具に把手を設けた時の右側面図
【図２０】本発明のシート切断具に把手を設けた時の左側面図
【図２１】本発明の使用時の斜視図
【図２２】本発明の使用時の斜視図
【図２３】本発明の使用時の斜視図
【図２４】本発明の使用時の斜視図
【図２５】本発明の使用時の斜視図
【図２６】本発明の使用時の斜視図
【図２７】本発明の使用時の斜視図
【図２８】本発明に連結部を介してペンを設けた物の右側面図
【図２９】本発明に連結部を介してキャップを設けた物の右側面図
【図３０】本発明に連結部を介してキャップを設けた物の右側面図
【図３１】本発明にガイドライン表示等よりなる切断方向基準認識手段を設けた物の斜視図
【図３２】本発明に物品に着脱可能に固定するための着脱機構を設けた物の底面図
【図３３】本発明に物品に着脱可能に固定するための着脱機構を設けた物の右側面図
【図３４】本発明の刃の斜視図
【図３５】本発明のシート切断具の刃着脱時の斜視図
【図３６】本発明のシート切断具の刃着脱完了時の斜視図
【図３７】本発明のシート切断具の刃着脱時の正面断面図
【図３８】本発明のシート切断具の刃着脱完了時の正面断面図
【符号の説明】
【００１０】        １    上ガイド片
２    下ガイド片
３    挿入ガイド部
４    排出ガイド部
５    切り替わり部
６    刃
７    上ガイド部材
８    上連結部材
９    上排出ガイド部材
１０    下ガイド部材
１１    下連結部材
１２    下排出ガイド部材
１３    被切断シート体
１４    刃収納部
１５    刃押え部
１６    把手棒
１７    上排出ガイド部材上面部
１８    開口部
１９    被切断シート体ａ
２０    被切断シート体ｂ
２１    切断点
２２    突起部
２３    ペン
２４    キャップ
２５    ガイドライン表示
２６    勾配
２７    脱着マグネット
【図１】
2007296276.tif 000003
【図２】
2007296276.tif 000004
【図３】
2007296276.tif 000005
【図４】
2007296276.tif 000006
【図５】
2007296276.tif 000007
【図６】
2007296276.tif 000008
【図７】
2007296276.tif 000009
【図８】
2007296276.tif 000010
【図９】
2007296276.tif 000011
【図１０】
2007296276.tif 000012
【図１１】
2007296276.tif 000013
【図１２】
2007296276.tif 000014
【図１３】
2007296276.tif 000015
【図１４】
2007296276.tif 000016
【図１５】
2007296276.tif 000017
【図１６】
2007296276.tif 000018
【図１７】
2007296276.tif 000019
【図１８】
2007296276.tif 000020
【図１９】
2007296276.tif 000021
【図２０】
2007296276.tif 000022
【図２１】
2007296276.tif 000023
【図２２】
2007296276.tif 000024
【図２３】
2007296276.tif 000025
【図２４】
2007296276.tif 000026
【図２５】
2007296276.tif 000027
【図２６】
2007296276.tif 000028
【図２７】
2007296276.tif 000029
【図２８】
2007296276.tif 000030
【図２９】
2007296276.tif 000031
【図３０】
2007296276.tif 000032
【図３１】
2007296276.tif 000033
【図３２】
2007296276.tif 000034
【図３３】
2007296276.tif 000035
【図３４】
2007296276.tif 000036
【図３５】
2007296276.tif 000037
【図３６】
2007296276.tif 000038
【図３７】
2007296276.tif 000039
【図３８】
2007296276.tif 000040